(57)【特許請求の範囲】
【請求項１】
合成樹脂を用いて成形された、外周壁と中底壁とを有する上面開放の容器において、
中底壁には、物品収納用の複数の凹陥部が凹設されており、
該凹陥部の内周壁には、上下方向に複数本の縦凸条部が形成され、
各凹陥部の底壁には、互いに平行する少なくとも１条の同形状の横凸条部が、底壁の屈曲により、内周壁を弦方向に連通させて形成され、前記平行方向において隣接する各凹陥部の各横凸条部は、単一直線上に中心線を位置させられており、
容器の中底壁には、凹陥部間に位置し、前記横凸条部の平行方向と同方向に立設され、かつ上端面を前記横凸条部の背面の凹溝部分に嵌入させうる縦壁部が凸設され、
また該中底壁には、外周壁と凹陥部との間および凹陥部間に位置し、上側に重ねられる容器の凹陥部の底壁下面を受支する複数の台形凸部が凸設されており、
前記各縦壁部の上端面は、容器の外周壁の上端面より僅かに低い位置に形成され
前記台形凸部の上端面は、縦壁部の前記上端面より、凹陥部の横凸条部の背面の凹溝部分の屈曲深さだけ低く形成されていると共に、
各容器は、同一位相として積み重ねた際、入れ子式に積み重ねられ、
上下の容器の位相を角度１８０度だけ異ならせて積み重ねた際、上側の容器の凹陥部の、横凸条部の背面の凹溝部分が、下側の容器の縦壁部の上端面部分に外嵌され、下側の容器の台形凸部の上端面に、上側の容器の対応位置の凹陥部の底壁下面が載置される成層段積み状の積み重ねとなるよう各部寸法が設定されている積み重ね容器。
【請求項２】
縦壁部と台形凸部とは、成層段積み状の積み重ね時の荷重分布が概ね均等となる複数箇所に形成されている請求項１記載の積み重ね容器。
【請求項３】
容器が熱可塑性合成樹脂を用いた真空成形，圧空成形等の成形手段により一体成形されている請求項１または請求項２記載の積み重ね容器。
【発明の詳細な説明】
【０００１】
【発明の属する技術分野】
本発明は、複数の塊状体、好適には収納用の凹陥部の通気を図る必要のある饅頭，焼売等の点心類等の物品を、１個ずつ収納する複数の凹陥部を有する上面開放の容器であり、非収納時には入れ子式に積み重ねられ、収納時には、収納物に触れることなく、成層段積み状に積み重ねられる積み重ね容器に関する。
【０００２】
【従来の技術】
複数の塊状体を１個ずつ収納する容器としては、実開平７ー１９１３６号公報に開示される鶏卵容器のごときものが知られており、また実開昭５８ー１３３５３５号公報に示されるように、塊状物品の非収納時に入れ子式に積み重ねられ、該物品の収納時に成層段積み状に積み重ねられる容器が知られている。
【０００３】
前記実開平７ー１９１３６号公報に示される鶏卵容器は、容器主体と、これにヒンジ結合された蓋体とで構成され、容器主体に複数の鶏卵収納用の凹陥部が形成され、該凹陥部の周壁に複数本の縦凸条部が形成されているものの、凹陥部の底壁には、周壁と離間した十字形の凸部が形成されていると共に、蓋体を鶏卵の上半部を覆うように被せ、この蓋体の底板外面の凹部により、上側へ積み重ねられた容器の横ずれを防止する構造のものである。
【０００４】
前記実開平７ー１９１３６号公報に示される容器は、容器主体同士が入れ子式に積み重ねられると共に、一方の容器の位相を角度１８０度だけ変化させて重ねると、成層段積み状に積み重ねられるという構造は全く具備していない。
【０００５】
また実開昭５８ー１３３５３５号公報に示されるものは、積み重ねられる上下の容器の一方の位相を角度１８０度変更するのみで入れ子式の積み重ねと成層段積み状の積み重ねとの２態様を採りうる構造は備えるものの、周壁に上下方向の複数本の縦凸条部を備え、底壁に互いに平行する少なくとも１条の横凸条部が周壁を弦方向に連通させて形成されている複数の物品収納の凹陥部は全く開示しておらず、収納用の凹陥部の通気を図るのに適した構造も具備していない。
【０００６】
【発明が解決しようとする課題】
本発明は、複数の塊状体、好ましくは、収納用の凹陥部の通気を図る必要のある饅頭，焼売等の蒸熱加温を要する点心類のごとき物品を収納する容器であり、非収納時には、入れ子式に積み重ねることができ、収納時には、積み重ねられる一方の容器の位相を角度１８０度だけ変えることにより、成層段積み状に積み重ねることができる容器について、次の課題を解決することを特徴としている。
【０００７】
すなわち、本発明は、容器に形成された物品収納用の複数の凹陥部が、内周壁の縦凸条部と底壁の横凸条部とにおいてのみ収納される物品の外周面と底面とに接触し、凹陥部の内周壁と底壁とが、前記収納される物品の外周面と底面とに面接触することに起因して物品の外周面と底面とが損なわれるという問題がない容器を提供すること、その結果として凹陥部の内周壁と底壁と、収納される物品の外周面と底面との間に形成された空隙部が、空気の円滑な流通路として機能しうる容器を提供することを第１の課題としている。
【０００８】
また、本発明は、物品収納用の凹陥部の内周壁の縦凸条部と、凹陥部の底壁に形成された横凸条部の背面の凹溝部分に上端面を嵌入させうる縦壁部と、該凹陥部の底壁下面を受支する台形凸部との２部材により、成層段積み状の積み重ね時の、下方の容器の耐荷重剛性を大とすると共に、その際の荷重分布を概ね均等とし、薄肉で剛性の大きい容器を提供することを第２の課題としている。
【０００９】
さらに、本発明は、熱可塑性合成樹脂シートを用いる真空成形，圧空成形等の手段による成形，脱形が容易で、しかも成層段積み状の積み重ね時の容器の横ずれを完全に防止できる容器を提供することを第３の課題としている。
【００１０】
【課題を解決するための手段】
前記各課題を解決するため、請求項１の発明では、合成樹脂を用い、外周壁と、物品収納用の複数の凹陥部が形成された中底壁とを有し、上面が開放された容器を成形した。
【００１１】
前記凹陥部の内周壁には、上下方向の複数本の縦凸条部を形成し、該各凹陥部の底壁には、互いに平行する少なくとも１本の、同形状の横凸条部を、底壁の屈曲により、周壁を弦方向に連通させて形成し、かつ前記平行方向において、隣接する各凹陥部の各横凸条部の中心線を単一の一直線上に位置させた。
【００１２】
また容器の中底壁には、凹陥部間に位置させて、前記横凸条部と平行する方向に縦壁部を立設し、その上端面が横凸条部の背面の凹溝部分に嵌入しうる寸法とした。
【００１３】
さらに、前記中底壁の、外周壁と凹陥部との間および凹陥部間に位置させて、上側に重ねられる容器の凹陥部の底壁下面を受支する複数の台形凸部を凸設させた。
【００１４】
前記台形凸部の上端面は、前記縦壁部の上端面より、前記凹陥部の横凸条部背面の凹溝部分の屈曲深さだけ低く形成した。
【００１５】
前記構造とした容器の各部寸法は、上下の容器を同一位相として積み重ねた際に入れ子式に各容器が積み重ねられ、位相を角度１８０度だけ異ならせて積み重ねた際に、上側の容器の凹陥部の横凸条部の背面の凹溝部分が下側の容器の縦壁部の上端面部分に外嵌され、下側の容器の台形凸部の上端面に、上側の容器の対応位置の凹陥部の底壁下面が載置され、成層段積み状に積み重ねられるように各部寸法が選定されているという構成とした。
【００１６】
請求項２の発明では、縦壁部と台形凸部との位置を、成層段積み状に容器を積み重ねた際の荷重分布が、容器全面で、概ね均等となる複数箇所とする構成を請求項１の発明に付加した。
【００１７】
請求項３の発明では、容器を、熱可塑性合成樹脂シートを真空成形，圧空成形等の成形手段で一体成形したという構成を、請求項１または請求項２の発明に付加した。
【００１８】
【発明の実施の形態】
図１，図２および図３は、請求項１，請求項２および請求項３に記載される各発明を併せ適用した実施の一例を示しており、饅頭，焼売等の収納凹陥部の通気を必要とする点心類を１個ずつ分離して、複数個収納する容器の例である。
【００１９】
積み重ね容器の容器１，２は、同一形状，同一寸法に、熱可塑性合成樹脂シートを真空成形することにより、一体形に成形されており、各図は、上側の容器１に対し、下側の容器２が位相を角度１８０度だけ異ならせられ、成層段積み状に積み重ねられた形態として示されているが、両容器１，２を同一位相として積み重ねた際は、図示を省略したが、各容器は入れ子式に、互いの周壁の内外面を接触させた形態で積み重ねられる。
【００２０】
容器１，２は、既述のごとく、同一形状，同一寸法に成形されているので、以下容器１について、その構造を説明する。
【００２１】
容器１は、熱可塑性合成樹脂シートを真空成形手段によって一体に成形されており、外周壁３と中底壁４とを有する上面開放構造である。
【００２２】
中底壁４には、前記点心類を１個ずつ収納する凹陥部５が複数個、図示例で８個凹設されているが、この凹陥部５の数は、任意に設定される。
【００２３】
各凹陥部５の内周壁６には、上下方向に複数本の縦凸条部７が形成され、底壁８には、互いに平行する同形状の横凸条部９，１０が、底壁８の屈曲により、内周壁６を弦方向に連通させて形成されている。図示例の横凸条部９，１０は２条であるが、３条でもあるいは１条でもよく、その数には格別の限定はない。
【００２４】
前記横凸条部９，１０は、図１に明示されるごとく、該横凸条部９，１０の平行方向Ｏ−Ｏにおいて隣接する各凹陥部５Ａ，５Ｂ，５Ｃに代表される各凹陥部の組において、各横凸条部９Ａ，９Ｃおよび１０Ａ，９Ｂ，１０Ｃは、それぞれ単一直線Ｐ−Ｐ，Ｑ−Ｑ上に中心線を位置させられている。
【００２５】
容器１の中底壁４の凹陥部間、図１では凹陥部５と５Ａの間、５Ｃと５Ｄの間、５Ｃと５Ｅの間および５Ａと５Ｆの間に、前記平行方向ＯーＯと同方向に縦壁部１１，１２，１３が凸設されている。
【００２６】
前記縦壁部１１，１２は平行方向Ｏ−Ｏの長さが短く縦壁部１３は、容器１の全幅にわたる長さとされ、かついずれも図２に示されるごとく、縦断面が倒Ｖ字形とされ、その上端面１４，１５，１６はいずれも、前記横凸条部９，１０，９Ａ，１０Ａ，９Ｃ，１０Ｃの背面の凹溝１７に嵌入できる広さとされている。
【００２７】
また前記中底壁４には外周壁３と凹陥部５，５Ｄ，５Ｅ，５Ｆ，５Ｇとの間および凹陥部５Ｂ，５Ｇ等に複数の台形凸部１８，１９，２０，２１が凸設されている。
【００２８】
前記縦壁部１１，１２，１３の各上端面１４，１５，１６は容器１の外周壁３の上端面２２より僅かに低い位置に形成され、また台形凸部１８，１９，２０，２１の上端面２３，２４，２５，２６は、縦壁部１１，１２，１３の上端面１４，１５，１６よりも前記横凸条部９ないし１０Ｃの背面の凹溝１７の屈曲深さだけ低く形成されている。
【００２９】
容器１，２における凹陥部５ないし５Ｇ、縦壁部１１，１２，１３および台形凸部１８ないし２１は、いずれも容器１，２を同一位相として積み重ねた際に、入れ子式に積み重なり、一方の容器の位相を角度１８０度だけ異ならせて積み重ねると、縦壁部１１，１２，１３に対応する位置の凹陥部の底壁８の横凸条部の背面の凹溝部分１７が、該縦壁部１１，１２，１３の上端面１４，１５，１６に外嵌され、台形凸部１８ないし２１に対応する位置の凹陥部の底壁８が、該台形凸部１８ないし２１の上端面２３ないし２６に受支され、両容器１，２が成層段積み状に積み重ねられる各部寸法に設定されている。
【００３０】
既述のごとく、縦壁部１１，１２，１３の各上端面１４，１５，１６は、容器１の外周壁３の上端面２２より僅かに低く、しかも縦壁部１１，１２，１３の上端面１４，１５，１６は、上側となる容器の対応部位の凹陥部の横凸条部の背面の凹溝部分１７に嵌入すると共に、台形凸部１８ないし２１の上端面２３ないし２６は、縦壁部１１，１２，１３の上端面１４，１５，１６よりも、前記凹溝部分１７の屈曲深さだけ低く形成されているので、上側に重ねられた容器１の各凹陥部の底壁８の背面は、台形凸部１８ないし２１の上端面２３ないし２６に安定して受支され、また容器の外周寄りに位置する凹陥部の底壁８は容器の外周壁３の上端面２２より低い位置を占め、該上端面２２により横ずれを防止され、結果として上側の容器の横ずれが防止される。
【００３１】
図示例では、図１に示されるごとく、縦壁部１１，１２，１３が外周壁３に連続する部分２７，２８，２９，３０が拡幅されており、台形凸部１８，２０，２１の容器外周寄り部分において、外周壁３の上端面２２に拡幅部３１，３２，３３が形成され、上側の容器の外縁寄りの凹陥部の外周面に下端に当接する構造とされているので、この部分でも上側の容器の横ずれが防止される。
【００３２】
本発明は、以上説明した構成であり、例えば、饅頭，焼売等の点心類を収納した場合、点心類の周面と底面とは凹陥部５の内周壁６の縦凸条部７と底壁８の横凸条部９，１０とに線接触するのみであり、その全周面と全底面とが、凹陥部５の内周壁６と底壁８とに面接触することに起因して取り出し時に点心類の周面と底面とが剥がれ損なわれるという問題を完全に回避できる。
【００３３】
点心類を収納した熱可塑性合成樹脂製の容器１を単独で、あるいは成層段積み状に積み重ね、蒸熱加温あるいは空冷するとき、蒸気，空冷は、容器１の開放された上面から凹陥部５の周面に至り、さらに凹陥部５の内周壁６の縦凸条部７間から、底壁８の横凸条部９，１０間に流入し、収納されている点心類を全面から加工できる。
【００３４】
容器１は、中底壁４に複数の凹陥部５が凹設され、該各凹陥部５の内周壁６に複数の縦凸条部７が形成されていること、前記中底壁４から複数の縦壁部１１，１２，１３および複数の台形凸部１８ないし２１が、それぞれ凸設されていることにより、成層段積み状に積み重ねられた際の耐圧潰強度が高く、薄肉に成形しても十分な実用強度を保持できる。
【００３５】
しかも、本発明に係る容器は、上下方向の凹凸構造と水平方向の平段部構造のみで構成されているので、成形，脱形が容易であり、真空成形または圧空成形により容易に成形できる。
【００３６】
特に、前記平行方向Ｏ−Ｏにおいて隣接する凹陥部５の底壁８に形成されている横凸条部９，１０が単一直線上に中心線を位置させられているので、１本の縦壁部、図示例では、縦壁部１３の場合には、複数の凹陥部５の横凸条部９，１０と係合できるので、簡単な構造で強い横ずれ防止機能を発揮できる。
【００３７】
また複数の縦壁部１１，１２，１３と複数の台形凸部１８ないし２１で上側の容器の凹陥部５を受支するので、成層段積み状の積み重ね時に下側の容器の掛かる荷重の分布を、概ね均等にすることができる。
【００３８】
本発明に係る容器は、実施例で説明したごとき点心類の収納に限定されるものではなく、各種機械器具部品の収納、各種洋菓子や果実類の収納、ガラス器具や陶磁器類の収納等に用いられることは勿論であり、従って収納の凹陥部，縦壁部，台形凸部等の形状，寸法，個数等は、図示実施に限定されるものではない。
【００３９】
【発明の効果】
請求項１の発明によると、物品収納用の凹陥部と収納物品の周面，底面との全面接触を防止でき、収納物品の外周面，底面の損傷を最少限度に留めることができるので、硬軟如何様の物品の収納にも適用できるし、収納用の凹陥部と収納物品との間の空隙部を利用して収納物品の蒸熱加温，空冷も可能となるので容器の収納適用範囲を著しく拡大しうる効果がある。
【００４０】
また、容器の中底壁と、物品収納用の凹陥部の内周壁の縦凸条部と、複数の縦壁部および台形凸部等の存在により、容器の耐圧潰強度が高いので、薄肉に成形しても十分な実用強度を保持できる効果を有する。
【００４１】
さらに、容器の外周壁の上端と縦壁部の上端面および台形凸部の上端面との位置関係並びに凹陥部の底壁の横凸条部背面の凹溝部分の屈曲深さとの寸法関係を所定のものとしたので、容器を成層段積み状に積み重ねた際の容器の横ずれを完全に防止できる効果を有する。
【００４２】
請求項２の発明によると、容器を成層段積み状に積み重ねた際に下側に掛かる荷重分布が概ね均等となり、耐圧潰強度が高いこととあいまち、多段の成層積み重ねを可能とする効果を奏する。
【００４３】
請求項３の発明によると、収納物の蒸熱加温あるいは空冷用の容器を廉価に多量生産しうる効果を奏する。
【図面の簡単な説明】
【図１】  実施の一例の容器の成層段積み時の平面図である。
【図２】  図１中Ｘ−Ｘ線断面図である。
【図３】  図１中Ｙ−Ｙ線断面図である。
【符号の説明】
１  ，２  容器
３  外周壁
４  中底壁
５，５Ａ〜５Ｇ  凹陥部
６  内周壁
７  縦凸条部
８  底壁
９〜９Ｃ  横凸条部
１０〜１０Ｃ  横凸条部
１１，１２，１３  縦壁部
１４，１５，１６  上端面
１７  凹溝部分
１８〜２１  台形凸部
２２〜２６  上端面
Ｏ−Ｏ  平行方向
Ｐ−Ｐ，Ｑ−Ｑ  一直線
【図１】
0003829881.tif 000002
【図２】
0003829881.tif 000003
【図３】
0003829881.tif 000004